(57)【要約】【課題】遠隔操作装置を傾ける等、動かすことにより、所望する機能部群を容易に選択することができ、該機能部群に対応する操作を容易に設定することができ、利便性が良好である放送信号処理システムを提供する。【解決手段】放送信号処理システムのリモコン４０のメモリには、ユーザがＴＶ受像機のＢＤ録画部等の機能部群を選択するために行うリモコン４０を傾ける等の操作（キー情報）と、ＴＶ受像機１へ送信するキーコードとを対応付けたキー割当情報が記憶されている。制御部は、リモコン４０の傾き又は加速度を検出したキーセンサ部からキー情報を受信したとき、ＴＶ受像機へキーコードを送信する。ＴＶ受像機の制御部はキーコードに基づき、選択された機能部群に対応する操作を行う。【選択図】図２
2011223167.tif 000002
【特許請求の範囲】
【請求項１】
複数の機能部を有し、第１制御手段を有する放送信号処理装置と、機能部、又は複数の機能部を有する機能部群複数それぞれに対応付けて所定の操作をする信号を出力する第２制御手段を有する遠隔操作装置とを備える放送信号処理システムにおいて、
前記遠隔操作装置は、
鉛直方向に対する角度又は加速度と、各機能部群とを対応付けて記憶する記憶手段と、
前記角度又は加速度を検出する検出手段と
を備え、
前記第２制御手段は、前記検出手段により角度又は加速度が検出された場合に、前記記憶手段に記憶された機能部群に対応付けて前記信号を出力するように構成されていることを特徴とする放送信号処理システム。
【請求項２】
複数の機能部、及び第１制御手段を有する放送信号処理装置と、受け付けた操作に対応する信号を出力する第２制御手段を有する遠隔操作装置とを備え、前記第１制御手段は、前記信号を入力され、機能部、又は複数の機能部を有する機能部群複数それぞれに対応付けて所定の操作をするように構成されている放送信号処理システムにおいて、
前記遠隔操作装置は、鉛直方向に対する角度又は加速度を検出する検出手段を備え、
前記第２制御手段は、前記検出手段により角度又は加速度が検出された場合に、該角度又は加速度に対応する信号を出力し、
前記放送信号処理装置は、角度又は加速度と、各機能部群とを対応付けて記憶する記憶手段を備え、
前記第１制御手段は、前記第２制御手段により前記信号を入力された場合に、前記記憶手段に記憶された機能部群に対応付けて所定の操作をすることを特徴とする放送信号処理システム。
【請求項３】
前記第２制御手段は、放送信号に含まれる番組情報に基づく番組の選択操作を受け付けた場合に、前記検出手段により角度又は加速度を検出して前記信号を出力することを特徴とする請求項１又は２に記載の放送信号処理システム。
【請求項４】
前記第１制御手段は、前記第２制御手段により前記信号を入力された場合に、前記機能部群の所定の動作を予約することを特徴とする請求項３に記載の放送信号処理システム。
【請求項５】
前記記憶手段は、鉛直方向に対する角度又は加速度と、前記機能部群の１又は複数の機能部とを対応付けて記憶してあり、
前記第２制御手段は、前記検出手段により前記１又は複数の機能部に対応する角度又は加速度を検出し、
前記第１制御手段は、前記１又は複数の機能部を操作することを特徴とする請求項１又は２に記載の放送信号処理システム。
【請求項６】
チューナを機能部として備え、
前記記憶手段は、鉛直方向に対する角度又は加速度と、チューナに選局させるための信号とを対応付けて記憶してあることを特徴とする請求項５に記載の放送信号処理システム。
【請求項７】
前記機能部群は、記録媒体に録画された画像を再生し、又は記録媒体に画像を録画するように構成され、
前記第１制御手段は、再生又は録画の操作をするために前記複数の機能部を操作することを特徴とする請求項５に記載の放送信号処理システム。
【請求項８】
前記放送信号処理装置と前記遠隔操作装置とは双方向の通信が可能であり、
前記機能部群は、設定の情報を含む記録媒体が装着され、記録媒体に録画された画像を再生し、又は記録媒体に画像を録画するように構成され、
前記遠隔操作装置は、操作画面を表示する表示手段を備え、
前記第２制御手段は、前記放送信号処理装置より前記設定の情報を受け付けた場合に、前記表示手段に、角度又は加速度に基づき前記設定を選択させるための画面を表示することを特徴とする請求項１又は２に記載の放送信号処理システム。
【請求項９】
前記放送信号処理装置と前記遠隔操作装置とは双方向の通信が可能であり、
前記機能部群は、記録媒体が装着され、記録媒体に録画された画像を再生し、又は記録媒体に画像を録画するように構成され、
前記放送信号処理装置は、前記機能部群に所定の記録媒体が装着された場合に設定の内容を記憶する手段を備え、
前記遠隔操作装置は、操作画面を表示する表示手段を備え、
前記第２制御手段は、前記放送信号処理装置より前記設定の内容を受け付けた場合に、前記表示手段に、角度又は加速度に基づき前記設定の内容を選択させるための画面を表示することを特徴とする請求項１又は２に記載の放送信号処理システム。
【請求項１０】
前記機能部群として、前記放送信号処理装置に接続された他の装置を備えることを特徴とする請求項１から９までのいずれか１項に記載の放送信号処理システム。
【発明の詳細な説明】
【技術分野】
【０００１】
本発明は、録画装置等を内蔵する放送信号処理装置を備える放送信号処理システムに関する。
【背景技術】
【０００２】
近年、ＢＤ（Blu-ray Disc：登録商標）録画部，ＨＤＤ（Hard Disk Drive）等の再生機能及び録画機能を有する機能部群を複数内蔵するテレビジョン受像機（以下、ＴＶ受像機という）が開発され、ユーザの利便性が向上している。しかし、このＴＶ受像機の場合、ＴＶ受像機本来の視聴，視聴予約の操作の他に、ＢＤ録画部等の機能部群における再生，録画等の操作があり、ユーザの操作のためのキーの数が増えたり、ひとつのキーに多重の効果を持たせたり、操作を行うためのステップ数(ネスト)が増えたりするという問題があった。そして、ＴＶ受像機に他の録画装置がＨＤＭＩ（High-Definition Multimedia Interface）接続されている場合には該録画装置のＣＥＣ経由での操作もあり、さらに、ユーザの操作のためのキーの数が増え、操作を行うためのステップ数が増える。
【０００３】
このＴＶ受像機においては、ＥＰＧ（Electronic Program Guide）を用いて番組を選択し、該番組を予約のリストに登録することができるが、このとき、内蔵するＢＤ録画部の録画予約の設定画面が最初に表示されるので、視聴予約、及びＴＶ受像機に接続された他の録画装置での録画予約を行う場合には、リストから設定を変えたいタイトルを選択し、設定画面を切り替えて設定する必要がある。これはユーザにとって不便であり、また、子供及び高齢者にとって操作が難しいという問題があった。
【０００４】
特許文献１には、複数の機器をそれぞれ遠隔制御するための操作ボタンのグループを複数備え、角度を変化させることにより操作ボタンのグループを選択するように構成されたリモコン装置（以下、リモコンという）の発明が開示されている。
【先行技術文献】
【特許文献】
【０００５】
【特許文献１】特開２００８−２１９７１０号公報
【発明の概要】
【発明が解決しようとする課題】
【０００６】
特許文献１の発明は、切り替え操作のための操作キーを押すことなく、所望の機器を操作するための操作ボタンのグループを選択することを特徴としている。しかし、ＴＶ受像機に内蔵された録画装置，ＨＤＭＩ接続された他の録画装置の操作をＴＶ受像機の制御手段が行う放送信号処理システムにおいて、特許文献１の発明を適用することはできず、上述した問題を解決することはできない。
【０００７】
本発明は斯かる事情に鑑みてなされたものであり、遠隔操作装置を傾けたり、上下，左右，前後方向に動かしたりすることにより、所望する機能部群を容易に選択することができ、該機能部群に対応する操作を容易に設定することができ、利便性が良好である放送信号処理システムを提供することを目的とする。
【課題を解決するための手段】
【０００８】
本発明に係る放送信号処理システムは、複数の機能部を有し、第１制御手段を有する放送信号処理装置と、機能部、又は複数の機能部を有する機能部群複数それぞれに対応付けて所定の操作をする信号を出力する第２制御手段を有する遠隔操作装置とを備える放送信号処理システムにおいて、前記遠隔操作装置は、鉛直方向に対する角度又は加速度と、各機能部群とを対応付けて記憶する記憶手段と、前記角度又は加速度を検出する検出手段とを備え、前記第２制御手段は、前記検出手段により角度又は加速度が検出された場合に、前記記憶手段に記憶された機能部群に対応付けて前記信号を出力するように構成されていることを特徴とする。
【０００９】
本発明においては、前記記憶手段に、ユーザが放送信号処理装置のＢＤ録画部等の機能部群を選択するために遠隔操作装置を傾けたり、上下，左右，前後方向に動かしたりする操作（キー情報）と、放送信号処理装置へ送信する、前記操作に対応する機能部群等のキーコードとを対応付けたキー割当情報が記憶されている。従って、所望の機能部群を容易に選択することができる。すなわち、機能部群に応じた操作を行う際に、単に遠隔操作装置を動かすのみで設定することができる。よって、利便性が良好であり、子供及び高齢者にとっても操作が簡単である。
【００１０】
本発明に係る放送信号処理システムは、複数の機能部、及び第１制御手段を有する放送信号処理装置と、受け付けた操作に対応する信号を出力する第２制御手段を有する遠隔操作装置とを備え、前記第１制御手段は、前記信号を入力され、機能部、又は複数の機能部を有する機能部群複数それぞれに対応付けて所定の操作をするように構成されている放送信号処理システムにおいて、前記遠隔操作装置は、鉛直方向に対する角度又は加速度を検出する検出手段を備え、前記第２制御手段は、前記検出手段により角度又は加速度が検出された場合に、該角度又は加速度に対応する信号を出力し、前記放送信号処理装置は、角度又は加速度と、各機能部群とを対応付けて記憶する記憶手段を備え、前記第１制御手段は、前記第２制御手段により前記信号を入力された場合に、前記記憶手段に記憶された機能部群に対応付けて所定の操作をすることを特徴とする。
【００１１】
本発明においては、前記記憶手段に、ユーザが機能部群を選択するために遠隔操作装置を傾けたり、上下，左右，前後方向に動かしたりする操作（キー情報）と、該操作のキーコードとを対応付けたキー割当情報が記憶されている。従って、所望の機能部群を容易に選択することができる。すなわち、機能部群に応じた操作を行う際に、単に遠隔操作装置を動かすのみで設定することができる。よって、利便性が良好であり、子供及び高齢者にとっても操作が簡単である。
【００１２】
本発明に係る放送信号処理システムは、前記第２制御手段は、放送信号に含まれる番組情報に基づく番組の選択操作を受け付けた場合に、前記検出手段により角度又は加速度を検出して前記信号を出力することを特徴とする。
【００１３】
番組情報に基づいて番組が選択された場合、機能部群が選択されることで、該機能部群における操作が自ずと決まる。例えば、現在放映されている番組が選択された場合に、録画装置が選択されたとき、想定される操作は放映されている番組の「録画」である。従って、放送信号処理装置に内蔵された録画装置等を用いて録画をしたいとき、遠隔操作装置を動かして該録画装置を選択することにより、直ちに録画処理を行うことができる。
【００１４】
本発明に係る放送信号処理システムは、前記第１制御手段は、前記第２制御手段により前記信号を入力された場合に、前記機能部群の所定の動作を予約することを特徴とする。
【００１５】
本発明においては、番組情報に基づいてこれから放送される番組が選択された場合、機能部群が選択されることで、該機能部群における予約の内容が自ずと決まる。例えば、放送信号処理装置に内蔵された録画装置を用いて録画予約をしたいとき、遠隔操作装置を動かして該録画装置を選択することにより、直ちに予約の設定を行うことができる。
【００１６】
本発明に係る放送信号処理システムは、前記記憶手段は、鉛直方向に対する角度又は加速度と、前記機能部群の１又は複数の機能部とを対応付けて記憶してあり、前記第２制御手段は、前記検出手段により前記１又は複数の機能部に対応する角度又は加速度を検出し、前記第１制御手段は、前記１又は複数の機能部を操作することを特徴とする。
【００１７】
本発明においては、遠隔操作装置を動かして機能部群を選択した後に、遠隔操作装置を動かすことにより該機能部群の１又は複数の機能部を動作して所定の操作を容易かつ迅速に行うことができる。
【００１８】
本発明に係る放送信号処理システムは、チューナを機能部として備え、前記記憶手段は、鉛直方向に対する角度又は加速度と、チューナに選局させるための信号とを対応付けて記憶してあることを特徴とする。
【００１９】
本発明においては、遠隔操作装置を動かして機能部群を選択した後に、遠隔操作装置を動かして、チューナに容易にかつ迅速に選局させることができる。
【００２０】
本発明係る放送信号処理システムは、前記機能部群は、記録媒体に録画された画像を再生し、又は記録媒体に画像を録画するように構成され、前記第１制御手段は、再生又は録画の操作をするために前記複数の機能部を操作することを特徴とする。
【００２１】
本発明においては、再生機能又は録画機能を有する機能部群が選択された場合に、遠隔操作装置を動かすことにより再生又は録画の操作を容易かつ迅速に行うことができる。
【００２２】
本発明係る放送信号処理システムは、前記放送信号処理装置と前記遠隔操作装置とは双方向の通信が可能であり、前記機能部群は、設定の情報を含む記録媒体が装着され、記録媒体に録画された画像を再生し、又は記録媒体に画像を録画するように構成され、前記遠隔操作装置は、操作画面を表示する表示手段を備え、前記第２制御手段は、前記放送信号処理装置より前記設定の情報を受け付けた場合に、前記表示手段に、角度又は加速度に基づき前記設定を選択させるための画面を表示することを特徴とする。
【００２３】
本発明においては、前記記録媒体に記録された設定の情報を受け付けた場合に、遠隔操作装置の動きと設定の操作信号とを対応付けた上で、表示手段に設定を選択させるための画面を表示するように構成されている。従って、放送信号受信装置の表示手段にメニュー画面を表示せずに、そして、遠隔操作装置の操作部のキーボタンを押さずに、遠隔操作装置を動かすことで、記録媒体に必要な設定を容易かつ迅速に行うことができる。また、本発明においては、放送信号受信装置が操作することができないキーが表示されないことからも、設定を容易に行うことができる。
【００２４】
本発明係る放送信号処理システムは、前記放送信号処理装置と前記遠隔操作装置とは双方向の通信が可能であり、前記機能部群は、記録媒体が装着され、記録媒体に録画された画像を再生し、又は記録媒体に画像を録画するように構成され、前記放送信号処理装置は、前記機能部群に所定の記録媒体が装着された場合に設定の内容を記憶する手段を備え、前記遠隔操作装置は、操作画面を表示する表示手段を備え、前記第２制御手段は、前記放送信号処理装置より前記設定の内容を受け付けた場合に、前記表示手段に、角度又は加速度に基づき前記設定の内容を選択させるための画面を表示することを特徴とする。
【００２５】
本発明においては、所定の記録媒体が装着された場合によく使用される設定の操作信号、又はユーザの入力による設定の操作信号と、遠隔操作装置の動きとを対応付けた上で、表示手段に設定を選択させるための画面を表示するように構成されている。従って、遠隔操作装置の操作部のキーボタンを押さずに、遠隔操作装置を動かすことで、ユーザに必要な設定を容易かつ迅速に行うことができる。
【００２６】
本発明係る放送信号処理システムは、前記機能部群として、前記放送信号処理装置に接続された他の装置を備えることを特徴とする。
【００２７】
本発明においては、遠隔操作装置を動かすことにより、他の装置を容易に選択することができる。すなわち、他の装置に対応する設定を行う際に、単に遠隔操作装置を動かすのみで設定することができる。
【発明の効果】
【００２８】
本発明によれば、遠隔操作装置を傾けたり、上下，左右，前後方向に動かしたりすることにより、所望の機能部群を容易に選択することができる。すなわち、機能部群に応じた操作を行う際に、単に遠隔操作装置を動かすのみで設定することができる。従って、利便性が良好であり、子供及び高齢者にとっても操作が簡単である。
【図面の簡単な説明】
【００２９】
【図１】本発明の実施の形態１に係る放送信号処理システムを示す斜視図である。
【図２】本発明の実施の形態１に係る放送信号処理システムの構成を示すブロック図である。
【図３】本発明の実施の形態１に係るリモコンを示す平面図である。
【図４】本発明の実施の形態１に係るリモコンの構成を示すブロック図である。
【図５】本実施の形態１に係るＴＶ受像機の制御部による操作処理を示すフローチャートである。
【図６】本発明の実施の形態１に係るリモコンの制御部による操作処理を示すフローチャートである。
【図７】番組が選択された場合のＥＰＧの画面の一例を示す図である。
【図８】操作を選択するための画面を示す図である。
【図９】選択画像の一例を示す図である。
【図１０】次の画面を示す図である。
【図１１】キーコードを受信して表示された選択画像を示す図である。
【図１２】「ＢＤ」が選択され、録画予約リストに「番組１−２」の予約が登録されたことを示す図である。
【図１３】本発明の実施の形態２に係るＴＶ受像機の制御部，リモコンの制御部による操作処理を示すフローチャートである。
【図１４】「ＨＤＤ」，「ＴＶ」，「ＢＤ」のいずれかを選択させるための画面を示す図である。
【図１５】キーコードを受信して表示された選択画像の一例を示す図である。
【図１６】「レコーダ２」が選択されたことを示す図である。
【図１７】「再生」，「録画」，「録画予約」のいずれかの操作を選択するための画面を示す図である。
【図１８】「再生」が選択されたことを示す図である。
【図１９】キーコード受信後に表示する他の画面を示す図である。
【図２０】リモコンの上方向の移動により、チャンネル「２」が選局された状態を示す図である。
【図２１】本発明の実施の形態３に係るＴＶ受像機のＢＤ録画部に装着されたディスクＡ，ディスクＢ，ディスクＣの、制御部へ送信されるディスク情報を示す図である。
【図２２】本発明の実施の形態３に係るＴＶ受像機の制御部，リモコンの制御部による操作処理を示すフローチャートである。
【図２３】設定画面の一例を示す図である。
【図２４】設定画面の一例を示す図である。
【図２５】本発明の実施の形態４に係るＴＶ受像機のＢＤ録画部に装着されたマイディスクＡ，マイディスクＢ，マイディスクＣの、制御部へ送信されるキー情報を示す図である。
【図２６】本発明の実施の形態４に係るＴＶ受像機の制御部，リモコンの制御部による操作処理を示すフローチャートである。
【図２７】マイディスクＢに基づく設定画面を示す図である。
【発明を実施するための形態】
【００３０】
以下、本発明をその実施の形態を示す図面に基づき具体的に説明する。
実施の形態１．
図１は本発明の実施の形態１に係る放送信号処理システム１０を示す斜視図、図２は放送信号処理システム１０の構成を示すブロック図である。
放送信号処理システム１０は、テレビジョン受像機（以下、ＴＶ受像機という）１と、リモートコントロール装置４０（以下、リモコン（ＲＣ）という）と、ＴＶ受像機１にシリアルバス３１を介してＨＤＭＩ接続されたＢＤ録画装置等の録画装置である第１レコーダ３３，第２レコーダ３４とからなる。
【００３１】
ＴＶ受像機１は、液晶表示部２、スピーカ３、アナログ放送用アンテナ４、アナログチューナ部５、ＡＶスイッチ部６、デジタル放送用アンテナ７、デジタルチューナ部８、デジタル復調部９、外部入力部１１、ＩＰ放送チューナ部１２、分離部（ＤＭＵＸ：デマルチプレクサ）１３、ビデオデコード／キャプチャ部１４、ビデオセレクタ部１５、映像処理部１６、合成部１７、表示制御部１８、ＥＰＧ／ＯＳＤ（On-Screen Display）／予約処理部１９、選局部２０、オーディオデコード部２１、オーディオセレクタ部２２、音声出力変換部２３、通信制御部２５、リモコン受信部２６、メモリ２７ａを有する制御部（第１制御手段）２７、ＢＤ録画部２８、ＨＤＤ２９、及びリモコン送信部３０を備える。
【００３２】
アナログチューナ部５は、アナログ放送用アンテナ４により受信された放送信号の中から選局部２０の選局指示に対応する放送信号を選択して、ＡＶスイッチ部６へ出力する。
ＡＶスイッチ部６は、アナログチューナ部５から入力された放送信号から音声データ及びビデオデータを抽出し、抽出した音声データをオーディオセレクタ部２２へ出力し、ビデオデータをビデオセレクタ部１５へ出力する。
【００３３】
デジタルチューナ部８は、デジタル放送用アンテナ７により受信された放送信号の中から選局部２０の選局指示に対応するデジタル放送の放送信号を選択して、デジタル復調部９へ出力する。デジタル復調部９は、デジタルチューナ部８から入力された放送信号を多重化されたトランスポートストリーム（ＴＳ）信号へデジタル復調し、得られたＴＳ信号を分離部１３へ出力する。
【００３４】
ＩＰ放送チューナ部１２は、ＬＡＮから入力されて分離されたＵＤＰデータを入力され、ネットワークパケットからＴＳパケットへ変換し、ビデオ・音声ストリーム、及びＳＩ（番組配列情報：サービスインフォメーション）専用ストリームとして分離部１３へ出力する。
【００３５】
分離部１３は、デジタル復調部９及びＩＰ放送チューナ部１２から入力されたＴＳ信号をビデオデータ及び音声データそれぞれに分離する。また、分離部１３は放送信号からＥＰＧデータを抽出することも行う。分離部１３は、分離したビデオデータをビデオデコード／キャプチャ部１４へ、音声データをオーディオデコード部２１へ出力する。分離部１３によって抽出されたＥＰＧデータは、制御部２７による書き込み制御によってメモリ２７ａに記録される。
【００３６】
ビデオデコード／キャプチャ部１４は、分離部１３によって分離されたビデオデータをデコードしたり、ビデオデータに含まれるビデオ情報を静止画としてキャプチャしたりする。ビデオデコード／キャプチャ部１４は、デコードしたビデオデータをビデオセレクタ部１５へ出力する。
ビデオセレクタ部１５は、アナログ放送のビデオ信号、デジタル放送のビデオ信号、及び外部機器３３から入力されるビデオ信号の切換を行う。切り換えられたビデオデータは、映像処理部１６へ出力される。映像処理部１６は、ビデオデータにつき所定の映像処理を行い、合成部１７へ出力する。合成部１７は、入力されたビデオデータを、ＥＰＧ／ＯＳＤ／予約処理部１９によって作成されたＥＰＧ、ＯＳＤデータと合成して表示制御部１８へ出力する。表示制御部１８は入力されたデータを液晶表示部２において表示できる形式であるビデオ出力信号に変換し、液晶表示部２へ出力する。
【００３７】
オーディオデコード部２１は、分離部１３によって分離された音声データをデコードし、デコードした音声データをオーディオセレクタ部２２へ出力する。
オーディオセレクタ部２２は、オーディオデコード部２１から入力された音声データの信号、及びＡＶスイッチ部６から入力された音声データの信号の切換を行う。切り換えられた音声データは、音声出力変換部２３によって、スピーカ３から出力できる形式のオーディオ出力信号に変換され、該スピーカ３へ出力される。
【００３８】
ＥＰＧ／ＯＳＤ／予約処理部１９は、メモリ２７ａに更新保存されたＥＰＧデータ（ＳＩ）に基づきＥＰＧを作成したり、制御部２７のＲＡＭ（Random Access Memory）に予め保存されているＯＳＤデータを描画したりする。ＯＳＤデータとは、予めＲＡＭに用意された設定メニュー画面、ＰＯＰ表示画面、音量ケージ、現在時刻、選局チャンネル等の各種情報を描画するためのデータをいう。
ＥＰＧ／ＯＳＤ／予約処理部１９は、分離部１３で分離され、メモリ２７ａから入力されたＳＩを解析し、ＥＩＴ（イベント情報テーブル）を抽出する。次に、抽出したＥＩＴをもとにイベントリストを作成し、作成したイベントリストを参照してＥＰＧを作成する。
ＥＰＧ／ＯＳＤ／予約処理部１９は、作成したＥＰＧ、及び描画するＯＳＤデータを合成部１７へ出力する。また、ＥＰＧ／ＯＳＤ／予約処理部１９は、ＥＰＧを利用した番組の予約処理等も行う。
ＢＤ録画部２８及びＨＤＤ２９は録画再生装置として機能する。
【００３９】
通信制御部２５は、第１レコーダ３３，第２レコーダ３４との通信を確立させるように制御を行う。
外部入力部１１は、外部機器３３から入力されたビデオデータ、音声データ及びＥＰＧデータをそれぞれビデオセレクタ部１５、オーディオセレクタ部２２、及びＥＰＧ／ＯＳＤ／予約処理部１９へ出力する。また、外部入力部１１を介し、ＢＤ録画部２８，ＨＤＤ２９と第１レコーダ３３，第２レコーダ３４との間でビデオ信号及び音声信号が送受信される。
【００４０】
リモコン送信部３０は、Ｂｌｕｅｔｏｏｔｈ（登録商標）規格に基づく通信方式によって、制御部２７からの指示によりリモコン４０に対してメモリ２７ａに保存した番組情報、後述するディスク設定情報，キー情報，ユーザ設定キー情報等の設定情報をコード化して送信する。情報のコード化は制御部２７で実行することにしてもよい。
【００４１】
リモコン受信部２６は、リモコン４０から送信された操作信号（リモコン信号）であるキーコードを前記通信方式により受信し、制御部２７に渡す。該キーコードを受け付けた制御部２７は、該キーコードが示す操作内容を反映させるように各機能部を制御する。なお、キーコードのデコードは、制御部２７又はリモコン受信部２６で実行する。
【００４２】
制御部２７は、例えばＣＰＵ（Central Processing Unit）、ＴＶ受像機１の全体を制御するための制御プログラムを格納した前記メモリ２７ａ、及び作業領域としてのＲＡＭ等を備えたマイクロコンピュータ（マイコン）で構成される。その場合、ＣＰＵが、格納された制御プログラムをＲＡＭ上に読み出し処理中のデータを一時的にＲＡＭに格納しながらその制御プログラムを実行する。
【００４３】
図３は、リモコン４０を示す平面図である。
リモコン４０は、ＴＶ受像機１の電源をオン／オフする電源キー４０ａ、チャンネルキー４０ｂ、音量キー４０ｃ、選局キー４０ｄ、入力切換キー４０ｈ、ＴＶ画面に番組情報を表示させるための番組情報キー４０ｅ、各種設定用メニュー画面をＴＶ画面に表示するためのメニューキー４０ｆ、各種選択操作及び決定操作を行うための選択・決定キー４０ｇ、入力ソースの切り換えを行うための入力切換キー４０ｈ、液晶パネル４０ｉ、及び保持キー４０ｊを備えている。保持キー４０ｊは、後述するＲＣ操作をする際に、押しながら該ＲＣ操作を行うことで、ユーザの意図しないリモコン４０の動きと区別するために設けられている。
【００４４】
図４は、リモコン４０の構成を示すブロック図である。
リモコン４０は、リモコン４０の全体を制御する制御部（第２制御手段）４４、受信部４１、送信部４２、デコード部４３、メモリ４５、キーセンサ部４６、前記液晶パネル４０ｉ、画像処理部４７、及びパネル制御部４８を備える。
【００４５】
制御部４４は、例えば、ＣＰＵ、リモコン４０の全体を制御する制御プログラムを格納したＲＯＭ、及び作業領域としてのＲＡＭ等を備えたマイコンで構成される。その場合、ＣＰＵが、格納された制御プログラムをＲＡＭ上に読み出し処理中のデータを一時的にＲＡＭに格納しながらその制御プログラムを実行する。この制御プログラムには、ユーザがリモコン４０を傾けたり、上下，左右，前後方向に動かす操作（以下、ＲＣ操作という）に基づきＴＶ受像機１にキーコードを送信する処理を制御するプログラムが含まれる。
【００４６】
リモコン４０は、図４では図示していない上述の操作キー群を有する操作部を備える。キーセンサ部４６は、複数の操作キーによるユーザ操作を検知するセンサ群であり、ユーザ操作された場合に検知したキーを示すキー情報を、制御部４４に渡す。なお、キーセンサ部４６で検知するキーには、キーコードをＴＶ受像機１へ送信するためのＲＣ操作キーも含まれる。
【００４７】
制御部４４は、キー情報を受け付けたときに、ユーザ操作が示す内容の処理を実行するよう各部を制御する。この処理には、ＴＶ受像機１へユーザ操作に対応するキーコードを送信する処理が含まれる。
【００４８】
キーセンサ部４６は、傾きセンサ４６ａ及び加速度センサ４６ｂを含む傾き検出部を備える。傾きセンサ４６ａは、内部に金属球等を保持し、該金属球が角度に応じて重力に引かれ移動する速度及び位置を検出する方式等により、垂直方向とリモコン４０の長手方向を軸とした回転方向の傾きを検知する。又は水平方向に対する角度を検出することにしてもよい。加速度センサ４６ｂは、重力加速度の方向変化等により、リモコン４０の上下，左右，前後方向の加速度を検出する。
【００４９】
メモリ４５は、ＥＥＰＲＯＭ（Electrically Erasable and Programmable ROM）等の記憶装置であり、キー割当情報等を記憶している。キー割当情報とは、上述の複数のキーに対応したキー情報と、制御部４４が各キー情報を受け付けたときにＴＶ受像機１へ送信するキーコードとを対応付けた情報である。リモコン４０の傾き及び加速度も、キー情報に含まれる。
【００５０】
制御部４４は、キーセンサ部４６から受信したキー情報に対して、このキー割当情報を参照することで、送信するキーコードを送信部４２に渡す。
【００５１】
送信部４２は、操作に対応したキーコードを制御部４４から受け付け、該キーコードをリモコン信号として前記通信方式によりＴＶ受像機１のリモコン受信部２６へ送信する。
【００５２】
受信部４１はＴＶ受像機１のリモコン送信部３０から、コード化された番組情報、ＥＰＧ情報、前記設定情報を前記通信方式により受信し、受信した情報をデコード部４３へ渡す。
【００５３】
以上のように本実施の形態の放送信号処理システム１０は、リモコン４０側の受信部４１，送信部４２、ＴＶ受像機１側のリモコン送信部３０，リモコン受信部２６を備えるので、リモコン４０はＴＶ受像機１と、Ｂｌｕｅｔｏｏｔｈ規格に基づく双方向通信により遠隔操作することが可能となっている。なお、リモコン４０とＴＶ受像機１との間の通信方式として、Ｂｌｕｅｔｏｏｔｈに限定されるものではなく、赤外線通信方式等、他の無線通信方式を採用することにしてもよい。
【００５４】
画像処理部４７は、制御部４４からの制御により、受信部４１で受信した情報及び／又はリモコン４０内に予め格納された情報に基づき、画像を生成する処理を行う。
【００５５】
パネル制御部４８は、画像処理部４７で生成又は画像処理がなされた操作用画像をメモリ４５から読み出し、液晶パネル４０ｉの表示を制御する。
【００５６】
以下に、ＴＶ受像機１の制御部２７、及びリモコン４０の制御部４４による操作処理について説明する。本実施の形態においては、液晶表示部２にＥＰＧ画面が表示され、番組が選択された場合、ＴＶ受像機１，ＢＤ録画部２８，ＨＤＤ２９，第１レコーダ３３，第２レコーダ３４のうちのいずれかの機能部群が、ユーザが前記保持キー４０ｊを押しながらリモコン４０を傾ける、又はリモコン４０を水平方向に前進させた後、保持するＲＣ操作によって選択される。各機能部群とリモコン４０の傾き及び加速度とは、予めリモコン４０のメモリ４５に対応付けて記憶されている。なお、リモコン４０に必ずしも保持キー４０ｊを備える必要はないが、ユーザの意図しないリモコン４０の動きと区別するために備えるのが好ましい。
【００５７】
本実施の形態の場合、機能部群の選択によって該機能部群に応じて行う操作は自ずと決まる。
選択された番組が現在放映中の場合、ＴＶ受像機１が選択されたときは番組を視聴する操作が行われ、ＢＤ録画部２８，ＨＤＤ２９，第１レコーダ３３，第２レコーダ３４が選択されたときは、番組を録画する操作が行われる。
選択された番組がこれから放映される番組である場合、ＴＶ受像機１が選択されたときは視聴予約の操作が行われ、ＢＤ録画部２８，ＨＤＤ２９，第１レコーダ３３，第２レコーダ３４が選択されたときは番組映像のいずれかの装置への録画予約の操作が行われる。
【００５８】
図５、図６は、ＴＶ受像機１の制御部２７，リモコン４０の制御部４４による操作処理を示すフローチャートである。
まず、ＴＶ受像機１の制御部２７は、液晶表示部２にＥＰＧ画面を表示させる（Ｓ１）。
ここで、リモコン４０の制御部４４は、ユーザのキー操作により番組の選択を受け付けたか否かを判定する（Ｓ２１）。制御部４４は受け付けなかったと判定した場合（Ｓ２１：ＮＯ）、判定を繰り返す。
【００５９】
制御部４４は番組の選択を受け付けたと判定した場合（Ｓ２１：ＹＥＳ）、選択した番組の情報に対応するキーコードをＴＶ受像機１へ送信する（Ｓ２２）。
制御部２７はこのキーコードを受信し（Ｓ２）、液晶表示部２に「番組１−２」が選択されたことを表示する。
図７は、番組が選択された場合のＥＰＧの画面の一例を示す図である。ユーザにより「放送１」の「番組１−２」が選択されたことが示されている。
【００６０】
制御部２７は、選択された番組が現在放映中であるか否かを判定する（Ｓ３）。
制御部２７は現在放映中であると判定した場合（Ｓ３：ＹＥＳ）、液晶表示部２に番組映像を表示する番組視聴，ＢＤ録画部２８への番組映像の録画，ＨＤＤ２９への番組映像の録画のいずれかの操作を選択するための画面（画像）を表示する（Ｓ４）。
図８は、その画面を示す図である。シーソーの下側に、左から順に「ＨＤＤ」、「ＴＶ」、「ＢＤ」の項目を並べてある。この画面には、次の画面へ切り替えるための「次へ」の項目も表示されており、リモコン４０を上側に移動させた場合に、次の画面へ切り替わるように構成されている。すなわち、リモコン４０を上側に動かすというキー情報と、次の画面を表示する指示のキーコードとが対応付けられてメモリ４５に記憶されている。
【００６１】
制御部４４は、ユーザより「次へ」を指示する操作、すなわち、リモコン４０を上側に動かす操作を受け付けたか否かを判定する（Ｓ２３）。リモコン４０の傾き検出部が上方向の加速度を検知した場合、制御部４４はこの検知結果により次の画面を表示する指示を受け付けたと判定する。
制御部４４は前記指示を受け付けなかったと判定した場合（Ｓ２３：ＮＯ）、リモコン４０のＲＣ操作を受け付けたか否かを判定する（Ｓ２４）。ここでは、リモコン４０が左に傾けられた場合，右に傾けられた場合，リモコン４０を水平方向に前進させて保持された場合、それぞれ「ＨＤＤ」，「ＢＤ」，「ＴＶ」の選択と対応付けられており、メモリ４５に予め記憶されている。ユーザは画面を見て、「ＨＤＤ」，「ＴＶ」，「ＢＤ」のいずれかをリモコン４０の傾き又は水平方向の保持により選択する。また、ユーザが対応関係を記憶している場合は、画面を見ずにＲＣ操作して、機能部群の操作処理を早めることもできる。
【００６２】
リモコン４０の傾き検出部はリモコン４０の傾き又は加速度を検出し、制御部４４が傾き検出部での検出結果に基づき判定を行う。制御部４４は、リモコン操作を受け付けなかったと判定した場合（Ｓ２４：ＮＯ）、判定を繰り返す。
【００６３】
制御部４４はＲＣ操作を受け付けたと判定した場合（Ｓ２４：ＹＥＳ）、ＴＶ受像機１へＲＣ操作に対応するキーコードを送信し（Ｓ２５）、処理を終了する。
ＴＶ受像機１の制御部２７は「次へ」を指示する情報に対応するキーコードを受け付けたか否かを判定し（Ｓ５）。受け付けなかったと判定した場合（Ｓ５：ＮＯ）、制御部４４がステップＳ２５において送信した前記ＲＣ操作に対応するキーコードを受信することになり（Ｓ６）、液晶表示部２にいずれの機能部群が選択されたかを示す選択画像を表示する。
図９は、選択画像の一例を示す図である。図９においては「ＢＤ」が選択されたことが、シーソーが右に傾くことによって示されている。制御部２７は選択された「ＢＤ」に対応する操作を行い（Ｓ７）、すなわち図９の場合はＢＤ録画部２８での録画操作を行って、処理を終了する。
【００６４】
一方、制御部４４が、ステップＳ２３において「次へ」を指示する操作を受け付けたと判定した場合（Ｓ２３：ＹＥＳ）、ＴＶ受像機１へこの指示情報に対応するキーコードを送信する（Ｓ２６）。
ここで、制御部２７は、「次へ」を指示する操作を受け付けたと判定し（Ｓ５：ＹＥＳ）、次の画面を表示する（Ｓ８）。
図１０は、次の画面を示す図である。シーソーの下側に、「レコーダ１」、「レコーダ２」の項目を並べてある。「レコーダ１」、「レコーダ２」の項目は、それぞれ第１レコーダ３３，第２レコーダ３４への番組映像の録画を意味する。リモコン４０のメモリ４５には、リモコン４０を左側に傾ければ「レコーダ１」の選択、右端に傾ければ「レコーダ２」の選択と対応付けられている。
ここで、制御部４４は、リモコン４０の上述した左右に傾けることによって「レコーダ１」及び「レコーダ２」のいずれかを選択するＲＣ操作を受け付けたか否かを判定する（Ｓ２７）。受け付けなかったと判定した場合（Ｓ２７：ＮＯ）、判定を繰り返す。
制御部４４は受け付けたと判定した場合（Ｓ２７：ＹＥＳ）、前記ＲＣ操作に対応するキーコードを送信する（Ｓ２８）。
【００６５】
制御部２７は前記キーコードを受信し（Ｓ９）、液晶表示部２にいずれの操作が選択されたかを示す選択画像を表示する。図１１は、該キーコードを受信して表示された選択画像を示す図である。図１１において「レコーダ２」が選択されたことが示されている。
制御部２７はキーコードに対応する操作を行い（Ｓ１０）、すなわち図１１の場合、第２レコーダ３４での録画操作を行って、処理を終了する。
【００６６】
次に、選択された番組が現在放映中ではなく、これから放映される番組である場合について説明する。制御部２７がステップＳ３において、選択された番組が、これから放映される番組であると判定した場合（Ｓ３：ＮＯ）、図８と同一の画面を表示する。
【００６７】
上記と同様に、制御部４４はユーザより「次へ」を指示する操作を受け付けたか否かを判定する（Ｓ２３）。
制御部４４は受け付けなかったと判定した場合（Ｓ２３：ＮＯ）、リモコン４０の上述した左右に傾けるか水平方向に保持するかすることによって「ＨＤＤ」，「ＴＶ」，「ＢＤ」のいずれかを選択するＲＣ操作を受け付けたか否かを判定する（Ｓ２４）。
【００６８】
制御部４４は前記ＲＣ操作を受け付けたと判定した場合（Ｓ２４：ＹＥＳ）、ＴＶ受像機１へ操作に対応するキーコードを送信し（Ｓ２５）、処理を終了する。
一方、制御部２７は「次へ」を指示する情報に対応するキーコードを受け付けたか否かを判定し（Ｓ１２）。受け付けなかったと判定した場合（Ｓ１２：ＮＯ）、制御部４４がステップＳ２５において送信した前記ＲＣ操作に対応するキーコードを受信することになり（Ｓ１３）、液晶表示部２にいずれの操作が選択されたかを示す画像を表示する。
図１２は、「ＢＤ」が選択され、録画予約リストに「番組１−２」の予約が登録されたことが示されている。制御部２７は選択された「番組１−２」の録画予約の設定操作を行って（Ｓ１４）、処理を終了する。
【００６９】
制御部２７は、「次へ」を指示する操作を受け付けたと判定した場合（Ｓ１２：ＹＥＳ）、次の「レコーダ１」及び「レコーダ２」を選択させるための画面を表示する（Ｓ１５）。
制御部２７はリモコン４０のＲＣ操作に対応するキーコードを制御部４４から受信し（Ｓ１６）、液晶表示部２にいずれの操作が選択されたかを示す選択画像を表示し、キーコードに基づく録画予約処理を行って（Ｓ１７）、処理を終了する。
【００７０】
本実施の形態においては、番組情報に基づいて現在放映されている番組が選択された場合、操作したいＢＤ録画部２８等の機能部群を、ＲＣ操作により容易に選択することができ、直ちに録画処理等を行うことができる。従って、子供及び高齢者にとっても、容易に迅速に操作を行うことができる。
【００７１】
また、番組情報に基づいてこれから放送される番組が選択された場合に、ＢＤ録画部２８等の操作したい機能部群をＲＣ操作により容易に選択することができ、容易に迅速に、予約の設定を行うことができる。
【００７２】
なお、本実施の形態においては、リモコン４０の制御部４４がステップＳ２１において番組の選択を受け付けたか否かを判定し、ステップＳ２３において「次へ」の指示を受け付けたか否かを判定し、それぞれ受け付けたと判定した場合、ＴＶ受像機１の制御部２７へ判定結果に対応するキーコードを送信するように構成しているがこれに限定されるものではない。同様に、ステップＳ２４，２７においてＲＣ操作を受け付けたと判定した場合、ＲＣ操作に対応する機能部群のキーコードをＴＶ受像機１の制御部２７へ送信するように構成しているがこれに限定されるものではない。
【００７３】
制御部４４は受け付けたキー操作（どのような操作がなされたか）を判定し、該キー操作に対応するキーコードを制御部２７へ送信するように構成してもよい。すなわち、ステップＳ２１の場合、押された選択・決定キー４０ｇの判定のみを行い、キー操作のキーコードを制御部２７へ送信して、制御部２７がキー操作（キーコード）に基づき選択された番組を判定する。ＲＣ操作の場合も、制御部４４は「上方向の加速度」、及び「左方向の傾き」等の操作のキーコードを制御部２７へ通知し、制御部２７がキー操作（キーコード）に基づき「次の画面の表示指示」、及び「ＨＤＤ」の機能部群の選択等、内容を判定する。この場合、制御部２７のメモリ２７ａに、制御部４４から入力されるキー操作と選択される番組とを対応付けたキー割当情報、ＲＣ操作と次の画面の表示指示とを対応付けたキー割当情報、ＲＣ操作と機能部群とを対応付けたキー割当情報が記憶されている。
【００７４】
但し、本実施の形態のように、リモコン４０の制御部４４でユーザのキー操作，ＲＣ操作に対応するＴＶ受像機１での操作内容を判定することにした場合、制御部２７の処理量に依存せず、ユーザのＲＣ操作に対しリアルタイムに近い対応をすることが可能になるという利点がある。
【００７５】
そして、本実施の形態においては、ＴＶ受像機１とリモコン４０とが双方向通信が可能である場合につき説明しているが、これに限定されるものではなく、リモコン４０からＴＶ受像機１へ一方向に通信するものであってもよい。ユーザに対応して傾き（角度）を調整する場合、ユーザに対応してキーの配置、及びＲＣ操作に対する処理の割当てを変える場合は、割当情報を通知する必要があるので、双方向通信が可能であるように構成する。
【００７６】
実施の形態２．
本発明の実施の形態２に係る放送信号処理システムは、実施の形態１に係る放送信号処理システム１０と同様の構成を有し、ＴＶ受像機１の制御部２７，リモコン４０の制御部４４による操作処理が、実施の形態１に係る制御部２７，制御部４４の操作処理と異なる。
本実施の形態においては、まず、ＴＶ受像機１，ＢＤ録画部２８，ＨＤＤ２９，第１レコーダ３３，第２レコーダ３４のいずれかの機能部群が、ユーザのリモコン４０を傾ける操作、又はリモコン４０を水平方向に前進させた後、保持する操作によって選択される。各機能部群とリモコン４０の傾き及び加速度とは、予めリモコン４０のメモリ４５に対応付けて記憶されている。
そして、ＴＶ受像機１の場合、「見る」，「視聴予約」のいずれかの操作を選択することができ、ＢＤ録画部２８，ＨＤＤ２９，第１レコーダ３３，第２レコーダ３４の場合、「再生」，「録画」，「録画予約」のいずれかの操作を選択することができるので、次にいずれの操作を行うかが選択される。リモコン４０のメモリ４５には、機能部群が選択された後のリモコン４０の傾き及び加速度のキー情報と、上述の操作のキーコードとが予め対応付けられて記憶されている。
【００７７】
図１３は、ＴＶ受像機１の制御部２７，リモコン４０の制御部４４による操作処理を示すフローチャートである。
ＴＶ受像機１の制御部２７は、まず、液晶表示部２に「ＨＤＤ」，「ＴＶ」，「ＢＤ」のいずれかを選択させるための画面を表示させる（Ｓ３１）。図１４は、その画面を示す図である。シーソーの下側に、左から順に「ＨＤＤ」，「ＴＶ」，「ＢＤ」の項目を並べてある。
制御部４４は、この画面表示を受けて、ユーザによるリモコン４０のＲＣ操作を受け付けたか否かを判定する（Ｓ４１）。受け付けなかったと判定した場合（Ｓ４１：ＮＯ）、判定を繰り返す。
【００７８】
制御部４４は受け付けたと判定した場合（Ｓ４１：ＹＥＳ）、ＴＶ受像機１へＲＣ操作に対応する機能部群のキーコードを送信する（Ｓ４２）。
制御部２７は前記キーコードを受信し（Ｓ３２）、いずれの機能部群が選択されたかを示す選択画像を表示する。図１５は、該キーコードを受信して表示された選択画像の一例を示す図である。図１５においては、「ＢＤ」が選択されたことが示されている。ステップＳ３１においてリモコン４０が上側に移動されて次の画面が表示されていた場合に、「レコーダ２」が選択されたときには、図１６のように表示される。
【００７９】
制御部２７は、次にいずれかの操作を選択するための画面を表示する（Ｓ３３）。図１７においてはステップＳ４１で「ＢＤ」が選択されていた場合の例を示している。「再生」，「録画」，「録画予約」のいずれかの操作を選択するための画面が示されている。
制御部４４は、ユーザによるリモコン４０のＲＣ操作を受け付けたか否かを判定する（Ｓ４３）。受け付けなかったと判定した場合（Ｓ４３：ＮＯ）、判定を繰り返す。
制御部４４は受け付けたと判定した場合（Ｓ４３：ＹＥＳ）、ＴＶ受像機１へキーコードを送信する（Ｓ４４）。
制御部２７はキーコードを受信し（Ｓ３４）、選択された操作を示す画像を液晶表示部２に表示する。図１８においては「再生」が選択されたことを示している。
制御部２７は再生の操作を行い（Ｓ３５）、処理を終了する。
【００８０】
ステップＳ３４のキーコード受信後に表示する他の画面を図１９に示す。図１９は、「ＴＶ」が選択された後、操作として「見る」が選択された状態を示している。
ＴＶ受像機１の「見る」操作が選択された場合、リモコン４０の上方向又は下方向の加速度のキー情報と、チャンネルのキーコードとを対応付けてメモリ４５に記憶しておくことにより、ユーザのＲＣ操作を受け付けて、ＲＣ操作に対応するキーコードを制御部４４がＴＶ受像機１へ送信するように構成することができる。図２０は、このリモコン４０の上方向の移動により、チャンネル「２」が選局された状態を示す図である。
「再生」等の他の操作も同様に、設定を選択するための画面を表示し、ＲＣ操作により選択するように構成することができる。
【００８１】
本実施の形態においては、ＲＣ操作により機能部群を選択した後に、またＲＣ操作を行って該機能部群の１又は複数の機能部を動作し、所定の操作を容易かつ迅速に行うことができる。
【００８２】
なお、本実施の形態においては、リモコン４０の制御部４４がステップＳ４１，４３において、ＲＣ操作を受け付けたと判定した場合、ＲＣ操作に対応する機能部群，「再生」等の操作のキーコードをＴＶ受像機１の制御部２７へ送信するように構成しているが、これに限定されるものではない。制御部４４はＲＣ操作のキーコードを制御部２７へ通知し、制御部２７がＲＣ操作（キーコード）に基づき機能部群，「再生」等の操作を判定するように構成してもよい。この場合、制御部２７のメモリ２７ａに、制御部４４から入力されるＲＣ操作と、機能部群，操作内容とを対応付けたキー割当情報が記憶されている。
そして、ＴＶ受像機１とリモコン４０とが双方向通信が可能である場合には限定されない。
【００８３】
実施の形態３．
本発明の実施の形態３に係る放送信号処理システムは、実施の形態１に係る放送信号処理システム１０と同様の構成を有し、ＴＶ受像機１の制御部２７，リモコン４０の制御部４４による操作処理が、実施の形態１に係る制御部２７，制御部４４の操作処理と異なる。
以下に、上述したリモコン４０のＲＣ操作によりＢＤ録画部２８が選択され、ディスク５０が装着された場合の設定をＲＣ操作により行う場合について説明する。
【００８４】
本実施の形態においては、ＴＶ受像機１のＢＤ録画部２８に装着されたディスクに記憶されている設定の情報が、ＴＶ受像機１の制御部２７からリモコン４０の制御部４４へ送信される。
図２１は、ＴＶ受像機１のＢＤ録画部２８に装着されたディスクＡ，ディスクＢ，ディスクＣの、制御部４４へ送信されるディスク情報（設定の情報）を示す図である。
制御部４４は、設定とＲＣ操作とを対応付けてメモリ４５に記憶し、ＲＣ操作により設定を選択させるための設定画像を画像処理部４７により生成させ、パネル制御部４８により制御して液晶パネル４０ｉに設定画像を表示させる。
【００８５】
ディスクＡは音楽ＣＤであり、例えばイコライザの設定メニューを液晶パネル４０ｉに表示させることで、ＴＶ受像機１の液晶表示部２にメニュー画面を表示しなくてもイコライザの設定を行うことができ、しかも操作部のキーボタンを押さずにＲＣ操作により容易に設定することができる。
ディスクＢは映画ＢＤであり、例えば字幕設定,吹き替え設定の選択画像を液晶パネル４０ｉに表示させることで、ＴＶ受像機１の液晶表示部２にＢＤのメニュー画面を表示しなくても字幕設定等を行うことができる。また、現在の設定をすぐに視認することができる。
ディスクＣは音楽ＤＶＤであり、映像の表示を複数から選択できるように構成されており、表示の情報を取得できた場合にリモコン４０に設定情報を通知することで、ユーザがＲＣ操作できない設定を除くことができる。
【００８６】
図２２は、ＴＶ受像機１の制御部２７，リモコン４０の制御部４４による操作処理を示すフローチャートである。
ＴＶ受像機１の制御部２７は装着されたディスク５０のディスク情報（設定情報）をリモコン４０へ送信する（Ｓ５１）。
リモコン４０の制御部４４は、このディスク情報を受信する（Ｓ６１）。制御部４４は、設定とＲＣ操作とを対応付けてメモリ４５に記憶し、画像処理部４７により画像を生成し、パネル制御部４８により制御して液晶パネル４０ｉに設定画面を表示する（Ｓ６２）。図２３は、設定画面の一例（ディスクＢの例）を示す図である。図２３においては、シーソーの下側に「字幕」，「吹き替え」の項目を並べてある。
【００８７】
制御部４４はユーザによるＲＣ操作を受け付けたか否かを判定する（Ｓ６３）。制御部４４は受け付けたと判定した場合（Ｓ６３：ＹＥＳ）、いずれの設定が選択されたかを設定画面に表示し、選択した設定に対応するキーコードをＴＶ受像機１へ送信する（Ｓ６４）。図２４は、設定画面の一例を示す図である。図２４においては、「字幕」の設定が選択されたことが示されている。
制御部２７はこの設定情報を受信する（Ｓ５２）。
制御部２７は対応するキーコードを受信し（Ｓ５２）、キーコードに対応する設定操作を行い（Ｓ５３）、処理を終了する。
【００８８】
本実施の形態においては、制御部４４が、ディスク５０に記録された設定の情報を受け付けた場合に、ＲＣ操作と設定の操作信号とを対応付けた上で、液晶パネル４０ｉに設定を選択させるための画面を表示するように構成されている。従って、ＴＶ受像機１の液晶表示部２にメニュー画面を表示せずに、そして、リモコン４０の操作部のキーボタンを押さずに、ＲＣ操作を行うことで、ディスク５０の再生又は録画等に必要な設定を容易かつ迅速に行うことができる。また、本実施の形態においては、ＴＶ受像機１が操作することができないキーが表示されないことからも、設定を容易に確実に行うことができる。
【００８９】
なお、本実施の形態においては、リモコン４０の制御部４４が設定とＲＣ操作とを対応付けてメモリ４５に記憶し、ステップＳ６３においてＲＣ操作を受け付けたと判定した場合、ＲＣ操作に対応する設定のキーコードをＴＶ受像機１の制御部２７へ送信するように構成しているが、これに限定されるものではない。制御部２７のメモリ２７ａに、制御部４４から入力されるＲＣ操作と、設定の内容とを対応付けたキー割当情報が記憶されており、制御部４４はＲＣ操作のキーコードを制御部２７へ通知し、制御部２７がＲＣ操作に基づき設定を判定するように構成してもよい。この場合、制御部２７は予め、設定とＲＣ操作とを対応付けた設定画像を生成して液晶パネル４０ｉに表示するように制御部４４へ通知する。
【００９０】
実施の形態４．
本発明の実施の形態４に係る放送信号処理システムは、実施の形態１に係る放送信号処理システム１０と同様の構成を有し、ＴＶ受像機１の制御部２７，リモコン４０の制御部４４による操作処理が、実施の形態１に係る制御部２７，制御部４４の操作処理と異なる。
【００９１】
以下に、上述したリモコン４０の傾き操作によりＢＤ録画部２８が選択され、ディスク５０が装着された場合の設定をＲＣ操作により行う場合について説明する。
図２５は、ＴＶ受像機１のＢＤ録画部２８に装着されたマイディスクＡ，マイディスクＢ，マイディスクＣの、制御部へ送信されるキー情報（設定の情報）を示す図である。
本実施の形態においては、ＴＶ受像機１のＢＤ録画部２８にマイディスクが装着された場合、制御部２７は、マイディスクの情報からユーザを検出し、メモリ２７ａに記憶されているユーザ情報とリンクさせて、ユーザが該マイディスクをＢＤ録画部２８に装着したときに使用した設定をカウントするように構成されている。制御部２７は、よく使用されたキー情報（設定情報）をリモコン４０へ送信する。制御部４４は、キー情報とＲＣ操作とを対応付けてメモリ４５に記憶し、ＲＣ操作により設定を選択させるための画像を画像処理部４７により生成させ、パネル制御部４８により制御して液晶パネル４０ｉに設定用画像をトップに表示する。または、制御部２７はユーザの設定により液晶パネル４０ｉで順に表示させる設定のリストを作成し、リモコン４０へ送信する。制御部２７は、あまり使用されていないキーに関して、所定の間隔でリモコン４０へ通知する。
【００９２】
図２６は、ＴＶ受像機１の制御部２７，リモコン４０の制御部４４による操作処理を示すフローチャートである。
制御部２７は装着されたディスク５０のよく使用されるキー情報をリモコン４０へ送信する（Ｓ７１）。
制御部４４は、このキー情報を受信する（Ｓ８１）。制御部４４は、ＲＣ操作により設定を選択させるための設定画像を画像処理部４７により生成させ、パネル制御部４８により制御して液晶パネル４０ｉに設定画面をトップに表示させる設定情報に基づき、画像処理部４７により画像を生成し、パネル制御部４８により液晶パネル４０ｉを制御して液晶パネル４０ｉに設定画面を表示する（Ｓ８２）。
【００９３】
制御部４４はユーザによるＲＣ操作を受け付けたか否かを判定する（Ｓ８３）。制御部４４はＲＣ操作を受け付けたと判定した場合（Ｓ８３：ＹＥＳ）、選択した設定に対応するキーコードをＴＶ受像機１へ送信する（Ｓ８４）。図２７は、マイディスクＢに基づく設定画面を示す図である。ここで、ユーザＢが「音量」のキーをよく使用することがリモコン４０に通知され、リモコン４０のＲＣ操作（上下方向の加速度）と音量とを対応付けてメモリ４５に記憶されており、制御部４４はＲＣ操作により「音量」を設定する画面をトップで表示したものとする。図２７においては、「音量」を大にする設定が選択されたことが示されている。
制御部２７はキーコードを受信し（Ｓ７２）、キーコードに対応する設定操作を行い（Ｓ７３）、処理を終了する。
【００９４】
本実施の形態においては、マイディスク等のディスク５０が装着された場合によく使用される設定の操作信号、又はユーザの入力による設定の操作信号と、ＲＣ操作とを対応付けた上で、液晶パネル４０ｉに設定を選択させるための画面を表示するように構成されている。従って、リモコン４０の操作部のキーボタンを押さずに、ＲＣ操作を行うことで、ユーザに必要な設定を容易かつ迅速に行うことができる。
【００９５】
なお、本実施の形態においては、制御部４４が設定情報とＲＣ操作とを対応付けてメモリ４５に記憶し、ステップＳ８３においてＲＣ操作を受け付けたと判定した場合、ＲＣ操作に対応する設定のキーコードをＴＶ受像機１の制御部２７へ送信するように構成しているが、これに限定されるものではない。制御部２７のメモリ２７ａに、制御部４４から入力されるＲＣ操作と、設定の内容とを対応付けたキー割当情報が記憶されており、制御部４４はＲＣ操作のキーコードを制御部２７へ通知し、制御部２７がＲＣ操作に基づき設定を判定するように構成してもよい。この場合、制御部２７は予め、設定とＲＣ操作とを対応付けた設定画像を生成して液晶パネル４０ｉに表示するように制御部４４へ通知する。
【００９６】
なお、前記実施の形態３及び４においては、ＴＶ受像機１に内蔵されるＢＤ録画部２８にディスク５０が装着された場合につき説明しているがこれに限定されるものではなく、第１レコーダ３３又は第２レコーダ３４にディスクが装着された場合にも本発明を適用することができる。
また、前記実施の形態１乃至４においては、ＴＶ受像機１に第１レコーダ３３及び第２レコーダ３４が接続されている場合につき説明しているがこれに限定されるものではない。
さらに、放送信号処理システムの機能部及び機能部群の構成、設定する内容は、前記実施の形態１乃至４において説明した場合に限定されるものではない。
【符号の説明】
【００９７】
１  ＴＶ受像機
２  液晶表示部
３  スピーカ
４  アナログ放送用アンテナ
５  アナログチューナ部
６  ＡＶスイッチ部
７  デジタル放送用アンテナ
８  デジタルチューナ部
９  デジタル復調部
１０  放送信号処理システム
１１  外部入力部
１２  ＩＰ放送チューナ部
１３  分離部（ＤＭＵＸ）
１４  ビデオデコード／キャプチャ部
１５  ビデオセレクタ部
１６  映像処理部
１７  合成部
１８  表示制御部
１９  ＥＰＧ／ＯＳＤ／予約処理部
１９ａ、２７ａ  メモリ
２０  選局部
２１  オーディオデコード部
２２  オーディオセレクタ部
２３  オーディオ出力変換部
２５  通信制御部
２６  リモコン受信部
２７  ＣＰＵ
２７ａ  メモリ
２８  ＢＤ録画部
２９  ＨＤＤ
３０  リモコン送信部
３０  外部機器
３１  シリアルバス
３３  第１レコーダ
３４  第２レコーダ
４０  リモコン
４０ａ  電源キー
４０ｂ  チャンネルキー
４０ｃ  音量キー
４０ｄ  選局キー
４０ｅ  番組情報キー
４０ｆ  メニューキー
４０ｇ  選択・決定キー
４０ｈ  入力切換キー
４０ｉ  液晶パネル
４０ｊ  保持キー
４１  受信部
４２  送信部
４３  デコード部
４４  制御部
４５  メモリ
４６  キーセンサ部
４６ａ  傾きセンサ
４６ｂ  加速度センサ
４７  画像処理部
４８  パネル制御部
５０  ディスク
【図１】
2011223167.tif 000003
【図２】
2011223167.tif 000004
【図３】
2011223167.tif 000005
【図４】
2011223167.tif 000006
【図５】
2011223167.tif 000007
【図６】
2011223167.tif 000008
【図７】
2011223167.tif 000009
【図８】
2011223167.tif 000010
【図９】
2011223167.tif 000011
【図１０】
2011223167.tif 000012
【図１１】
2011223167.tif 000013
【図１２】
2011223167.tif 000014
【図１３】
2011223167.tif 000015
【図１４】
2011223167.tif 000016
【図１５】
2011223167.tif 000017
【図１６】
2011223167.tif 000018
【図１７】
2011223167.tif 000019
【図１８】
2011223167.tif 000020
【図１９】
2011223167.tif 000021
【図２０】
2011223167.tif 000022
【図２１】
2011223167.tif 000023
【図２２】
2011223167.tif 000024
【図２３】
2011223167.tif 000025
【図２４】
2011223167.tif 000026
【図２５】
2011223167.tif 000027
【図２６】
2011223167.tif 000028
【図２７】
2011223167.tif 000029